(57)【特許請求の範囲】
【請求項１】
定時通報を行う場合には、センタ装置を発呼し、その発呼に応じて交換機から発せられるリングバックトーン信号を受けると、そのリングバックトーン信号の開始から時間の計時を開始し、計時の開始から所定の第１の識別時間が経過したときに発呼を停止し、その後、センタ装置から発呼されてセンタ装置の電話番号が通知され、さらにこのセンタ装置からの発呼に応じて交換機から発せられたリンガ信号を受けると、そのリンガ信号の開始から時間の計時を開始し、計時の開始から所定の第２の識別時間の経過後に発呼が停止された場合には、当該発呼はセンタ装置からの定時通報に対する肯定応答信号であると判断する処理を行い、
定時通報以外の通報を行う場合には、センタ装置を発呼し、発呼の後呼接続されるまで待機する処理を行う
ことを特徴とする非常通報装置。
【請求項２】
非常通報装置から発呼されて非常通報装置の電話番号が通知され、さらにこの非常通報装置からの発呼に応じて交換機から発せられたリンガ信号を受けると、そのリンガ信号の開始から時間の計時を開始し、計時の開始から所定の第１の識別時間の経過後に発呼が停止された場合には、当該発呼は非常通報装置からの定時通報であると判断し、この後、当該定時通報を行った非常通報装置を発呼し、この発呼に応じて交換機から発せられたリングバックトーン信号を受けると、そのリングバックトーン信号の開始から時間の計時を開始し、計時の開始から所定の第２の識別時間の経過後に発呼を停止する処理を行い、
非常通報装置から発呼されて非常通報装置の電話番号が通知され、さらにこの非常通報装置からの発呼に応じて交換機から発せられたリンガ信号が前記第１の識別時間を越えて継続している場合には定時通報以外の通報であると判断して呼接続を行う処理を行う
ことを特徴とするセンタ装置。
【請求項３】
非常通報装置とセンタ装置とが公衆電話回線を介して接続されてなる警備システムであって、
前記非常通報装置は、
定時通報を行う場合には、センタ装置を発呼し、その発呼に応じて交換機から発せられるリングバックトーン信号を受けると、そのリングバックトーン信号の開始から時間の計時を開始し、計時の開始から所定の第１の識別時間が経過したときに発呼を停止し、その後、センタ装置から発呼されてセンタ装置の電話番号が通知され、さらにこのセンタ装置からの発呼に応じて交換機から発せられたリンガ信号を受けると、そのリンガ信号の開始から時間の計時を開始し、計時の開始から所定の第２の識別時間の経過後に発呼が停止された場合には、当該発呼はセンタ装置からの定時通報に対する肯定応答信号であると判断する処理を行い、
定時通報以外の通報を行う場合には、センタ装置を発呼し、発呼の後呼接続されるまで待機する処理を行い、
前記センタ装置は、
非常通報装置から発呼されて非常通報装置の電話番号が通知され、さらにこの非常通報装置からの発呼に応じて交換機から発せられたリンガ信号を受けると、そのリンガ信号の開始から時間の計時を開始し、計時の開始から前記第１の識別時間の経過後に発呼が停止された場合には、当該発呼は非常通報装置からの定時通報であると判断し、この後、当該定時通報を行った非常通報装置を発呼し、この発呼に応じて交換機から発せられたリングバックトーン信号を受けると、そのリングバックトーン信号の開始から時間の計時を開始し、計時の開始から前記第２の識別時間の経過後に発呼を停止する処理を行い、
非常通報装置から発呼されて非常通報装置の電話番号が通知され、さらにこの非常通報装置からの発呼に応じて交換機から発せられたリンガ信号が前記第１の識別時間を越えて継続している場合には定時通報以外の通報であると判断して呼接続を行う処理を行う
ことを特徴とする警備システム。
【発明の詳細な説明】
【０００１】
【発明の属する技術分野】
本発明は、非常通報装置、センタ装置、及びそれらを用いた警備システムに係り、特に、非常通報装置からセンタ装置に対して行う定時通報に要する時間を短縮するための技術に関する。
【０００２】
【従来の技術】
従来、警備システムとして、警備先に設置された非常通報装置と、センタ側に設置されたセンタ装置とが公衆電話回線（以下、単に電話回線と称す）で接続された警備システムが知られている。その概略の構成及び動作を図６を参照して説明する。図６において、１は非常通報装置、２は制御装置（以下、ＣＰＵと称す）、３は回線制御部、１０はセンタ装置、１１は回線制御部、１２は制御装置（以下、ＣＰＵと称す）、１３は入力装置、１４はモニタ、Ｌは電話回線を示す。
【０００３】
非常通報装置１は、警備の対象となっている箇所に設置されている。非常通報装置１は、ＣＰＵ２、及び電話回線Ｌを介してセンタ装置１０と双方向の通信を行い、データの授受を行うための回線制御部３を備えている。回線制御部３は、電話回線Ｌがアナログ回線である場合にはモデムで構成され、デジタル回線である場合には、ターミナル・アダプタ機能及びデジタル回線終端装置で構成される。
【０００４】
ＣＰＵ２には、熱線センサ等の異常の検知を行うための防犯センサが接続されている。また、ＣＰＵ２には操作装置も接続される。操作装置は、警備の対象となっている箇所に設定されている警戒エリアに対して警戒状態／解除状態を設定するものであり、通常リモコン等と称されているものである。操作装置によって警戒状態／解除状態の設定を行うための方式としては、鍵を用いる方式、ＩＤコードが書き込まれたＩＤカードを用いる方式、テンキーによってＩＤコードを入力する方式等種々の方式が知られているが、どのようなものであってもよい。
【０００５】
なお、防犯センサ及び操作装置は複数設けられるのが一般的であるが、図が煩雑になるのを避けるために図では単にＣＰＵ２には防犯センサ、操作装置が接続されることを示している。
【０００６】
一方、警備センタ側にはセンタ装置１０が設置されている。センタ装置１０は、電話回線Ｌを介して非常通報装置１と双方向の通信を行い、データの授受を行うための回線制御部１１、非常通報装置１から送られてきたデータの処理、管理等を行うＣＰＵ１２、キーボードやマウス等からなる入力装置１３、及び非常通報装置１から送られてきたデータを表示するためのモニタ１４を備えている。このセンタ装置１０の回線制御部１１を除いたＣＰＵ１２、入力装置１３、モニタ１４は、多くの場合パーソナルコンピュータを用いて構成されている。図１には非常通報装置１は一つしか示していないが、センタ装置１０は複数の非常通報装置との間でデータの授受を行うようになされている。
【０００７】
さて、非常通報装置１は種々の場合においてセンタ装置１０に対して通報を行う。例えば、いま、操作装置によって警戒エリアに対して警戒状態が設定されている場合において、防犯センサが発報すると、ＣＰＵ２は、自己に割り当てられたアドレスを付して、異常が発生したことを示す情報をセンタ装置１０に送信する。これが異常通報である。そして、センタ装置１０のＣＰＵ１２はこの情報を受けるとモニタ１４に表示する。従って、センタ装置１０のオペレータは、当該非常通報装置１が設置されている箇所において異常が発生したことを知ることができる。
【０００８】
また、操作装置によって、ある警戒エリアが警戒状態から解除状態に切り換えられた場合には、ＣＰＵ２は、自己に割り当てられたアドレスを付して、当該警戒エリアが警戒状態から解除状態に切り換えられたことを通報する。同様に、操作装置によって、ある警戒エリアが解除状態から警戒状態に切り換えられた場合には、ＣＰＵ２は、自己に割り当てられたアドレスを付して、当該警戒エリアが解除状態から警戒状態に切り換えられたことを通報する。そして、センタ装置１０のＣＰＵ１２はこの情報を受けるとモニタ１４に表示する。従って、センタ装置１０のオペレータは、当該非常通報装置１が設置されている箇所の各警戒エリアが現在警戒状態にあるか、解除状態にあるかを知ることができる。
【０００９】
更に、非常通報装置１のＣＰＵ２は、センタ装置１０に対して、一定時間毎、又は予め定められた時刻に定時通報を行う。この定時通報の場合には、ＣＰＵ２は、定時通報であることを示す定時通報データと、センタ装置１０の電話番号を回線制御部３に渡し、センタ装置１０への送信を指示する。なお、定時通報データの送信に際して、非常通報装置１に割り当てられたアドレスが付されることは当然である。
【００１０】
これにより、回線制御部３はセンタ装置１０に対して、当該定時通報データを送信する。センタ装置１０の回線制御部１１は、この定時通報データを受けるとＣＰＵ１２に渡す。回線制御部１１から定時通報データを受けると、ＣＰＵ１２はそれをモニタ１４に表示する。
【００１１】
この定時通報は、非常通報装置１が正常に動作していることを示す情報となる。即ち、センタ装置１０のオペレータは、定時通報があったことを示す表示によって、非常通報装置１が正常に動作していると判断できるからである。また、定時通報があることによって、電話回線Ｌが切断されていないことも知ることができる。
【００１２】
次に、非常通報装置１からセンタ装置１０へ何等かの通報を行う場合のシーケンスを図７に示すチャートを参照して説明すると次のようである。
【００１３】
いま、非常通報装置１において、センタ装置１０に対して何等かの通報を行う必要がある事象が生じたとする。このときＣＰＵ２は、まず、回線制御部３に対してセンタ装置１０への発呼命令を通知する（ステップＳ１）。なお、センタ装置１０の電話番号は回線制御部３に予め登録されているものとする。
【００１４】
これに応じて回線制御部３は、センタ装置１０を発呼する（ステップＳ２）。これによって、最寄りの交換機（図６には図示せず）からリンガ信号が発せられる。そして、センタ装置１０の回線制御部１１は、このリンガ信号を検出すると呼接続する（ステップＳ３）。
【００１５】
そして、呼接続されると、非常通報装置１の回線制御部３と、センタ装置１０の回線制御部１１とはネゴシエーションを行う（ステップＳ４）。このネゴシエーションによってお互いを認識すると回線制御部３は、相手を認識したことをＣＰＵ２に通知する（ステップＳ５）。なお、センタ装置１０の回線制御部１１も相手を認識すると、その旨をＣＰＵ１２に通知する。
【００１６】
回線制御部３から相手を認識した通知を受けると、ＣＰＵ２は回線制御部３に対して識別データを与え、その識別データの送信を命令する（ステップＳ６）。図示していないが、このときにはセンタ装置１０のＣＰＵ１２も回線制御部１１に対して識別データを与え、その送信を命令する。この動作によって、お互いに識別データの送信が行われる（ステップＳ７）。この識別データは、非常通報装置１とセンタ装置１０との間で定義されている特別のデータであり、その内容は任意に定めることができる。
【００１７】
回線制御部３は、センタ装置１０からの識別データを受信すると、その受信した識別データをＣＰＵ２に渡す（ステップＳ８）。ＣＰＵ２は回線制御部３から受けた識別データを解読し、当該識別データを正しく認識できたときには、回線制御部３に対して通報すべきデータを渡してデータ送信を命令する（ステップＳ９）。回線制御部３は当該命令に従って、当該データを送信する（ステップＳ１０）。なお、この送信されるデータには、当該非常通報装置１に割り当てられたアドレスが付されていることは上述した通りである。
【００１８】
センタ装置１０の回線制御部１１は当該データの受信を完了すると、受信したデータをＣＰＵ１２に渡すと共に、正常に受信したことを示す肯定応答信号（アクノレッジ信号。以下、ＡＣＫ信号と記す）を送信（ステップＳ１１）して、呼接続を解除する（ステップＳ１２）。これに対して、非常通報装置１の回線制御部３は、当該ＡＣＫ信号を受信すると、受信したＡＣＫ信号をＣＰＵ１２に渡して（ステップＳ１３）、呼接続を解除する（ステップＳ１４）。そして、非常通報装置１のＣＰＵ２は、ＡＣＫ信号によって、送信したデータがセンタ装置１０で正常に受信されたことを認識する。
【００１９】
非常通報装置１からセンタ装置１０に何等かの通報を行う場合には、常にこのようなシーケンスの処理が行われる。
【００２０】
【発明が解決しようとする課題】
上述したように、定時通報は、非常通報装置１が正常に動作しているか否か、あるいは電話回線Ｌが断線しているか否かをセンタ装置１０側で判断する上で重要な通報なのであるが、１台のセンタ装置で多くの台数の非常通報装置を管理する場合には、一時に定時通報が集中して、定時通報を行うために長い時間を要することがあった。なお、センタ装置１０が管理する非常通報装置１とは、何等かの通報を行う場合に、当該センタ装置１０を発呼するように設定されている非常通報装置のことを意味している。
【００２１】
即ち、通常、１台のセンタ装置１０では数百台〜2000台程度の非常通報装置１を管理することが可能であり、また定時通報の時間間隔あるいは定時通報を行う時刻は各非常通報装置１で任意に設定可能であるが、多くの台数で定時通報を行う時が一致することがある。従って、一時に多くの台数の非常通報装置１が定時通報のために、一斉に一台のセンタ装置１０を発呼することがあるのである。
【００２２】
勿論、センタ装置１０では複数本の電話回線を代表組みしているのが通常ではあるが、例えば数百台の非常通報装置１から同時に発呼があった場合には、代表組されている電話回線の本数分しか受けられないので、残りの非常通報装置１は話中となってしまう。
【００２３】
しかも、非常通報装置１から定時通報があった場合には図７に示すシーケンスが行われるので、一つの非常通報装置１からの定時通報のための発呼があってから、呼接続が解除されるまで時間を要し、この時にセンタ装置１０を発呼した全ての非常通報装置１からの定時通報を受けるには長い時間を要することになる。
【００２４】
また、上述したように多くの台数の非常通報装置１からの定時通報が集中しているときに、ある非常通報装置１から異常通報が行われる場合がある。異常通報は可能な限り受信して、迅速にその異常の状態に応じた措置を講じなければならないが、上述した事情によって、異常通報の受信が遅れてしまう場合がある。
【００２５】
以上のことから、定時通報に要する時間を短縮することが望まれるのであるが、従来においては定時通報の場合にも図７に示すシーケンスが行われていたので、定時通報に要する時間の短縮化は難しいものであった。
【００２６】
そこで、本発明は、定時通報に要する時間を短縮することができる非常通報装置、センタ装置、及びそれらを用いた警備システムを提供することを目的とするものである。
【００２７】
【課題を解決するための手段】
上記の目的を達成するために、請求項１記載の非常通報装置は、定時通報を行う場合には、センタ装置を発呼し、その発呼に応じて交換機から発せられるリングバックトーン信号を受けると、そのリングバックトーン信号の開始から時間の計時を開始し、計時の開始から所定の第１の識別時間が経過したときに発呼を停止し、その後、センタ装置から発呼されてセンタ装置の電話番号が通知され、さらにこのセンタ装置からの発呼に応じて交換機から発せられたリンガ信号を受けると、そのリンガ信号の開始から時間の計時を開始し、計時の開始から所定の第２の識別時間の経過後に発呼が停止された場合には、当該発呼はセンタ装置からの定時通報に対する肯定応答信号であると判断する処理を行い、定時通報以外の通報を行う場合には、センタ装置を発呼し、発呼の後呼接続されるまで待機する処理を行うことを特徴とする。
請求項２記載のセンタ装置は、非常通報装置から発呼されて非常通報装置の電話番号が通知され、さらにこの非常通報装置からの発呼に応じて交換機から発せられたリンガ信号を受けると、そのリンガ信号の開始から時間の計時を開始し、計時の開始から所定の第１の識別時間の経過後に発呼が停止された場合には、当該発呼は非常通報装置からの定時通報であると判断し、この後、当該定時通報を行った非常通報装置を発呼し、この発呼に応じて交換機から発せられたリングバックトーン信号を受けると、そのリングバックトーン信号の開始から時間の計時を開始し、計時の開始から所定の第２の識別時間の経過後に発呼を停止する処理を行い、非常通報装置から発呼されて非常通報装置の電話番号が通知され、さらにこの非常通報装置からの発呼に応じて交換機から発せられたリンガ信号が前記第１の識別時間を越えて継続している場合には定時通報以外の通報であると判断して呼接続を行う処理を行うことを特徴とする。
請求項３記載の警備システムは、非常通報装置とセンタ装置とが公衆電話回線を介して接続されてなる警備システムであって、前記非常通報装置は、定時通報を行う場合には、センタ装置を発呼し、その発呼に応じて交換機から発せられるリングバックトーン信号を受けると、そのリングバックトーン信号の開始から時間の計時を開始し、計時の開始から所定の第１の識別時間が経過したときに発呼を停止し、その後、センタ装置から発呼されてセンタ装置の電話番号が通知され、さらにこのセンタ装置からの発呼に応じて交換機から発せられたリンガ信号を受けると、そのリンガ信号の開始から時間の計時を開始し、計時の開始から所定の第２の識別時間の経過後に発呼が停止された場合には、当該発呼はセンタ装置からの定時通報に対する肯定応答信号であると判断する処理を行い、定時通報以外の通報を行う場合には、センタ装置を発呼し、発呼の後呼接続されるまで待機する処理を行い、前記センタ装置は、非常通報装置から発呼されて非常通報装置の電話番号が通知され、さらにこの非常通報装置からの発呼に応じて交換機から発せられたリンガ信号を受けると、そのリンガ信号の開始から時間の計時を開始し、計時の開始から前記第１の識別時間の経過後に発呼が停止された場合には、当該発呼は非常通報装置からの定時通報であると判断し、この後、当該定時通報を行った非常通報装置を発呼し、この発呼に応じて交換機から発せられたリングバックトーン信号を受けると、そのリングバックトーン信号の開始から時間の計時を開始し、計時の開始から前記第２の識別時間の経過後に発呼を停止する処理を行い、非常通報装置から発呼されて非常通報装置の電話番号が通知され、さらにこの非常通報装置からの発呼に応じて交換機から発せられたリンガ信号が前記第１の識別時間を越えて継続している場合には定時通報以外の通報であると判断して呼接続を行う処理を行うことを特徴とする。
【００２８】
【発明の実施の形態】
以下、図面を参照しつつ発明の実施の形態について説明する。
図１は、本発明に係る非常通報装置と、センタ装置とを用いた警備システムの第１の実施形態を示す図であり、図中、１５は電話番号テーブルを示す。
【００２９】
非常通報装置１は、図６に示す構成と同じであるが、ＣＰＵ２及び回線制御部３の動作が異なっている。このことについては後述する。センタ装置１０は、図６に示す構成に加えて、回線制御部１１は電話番号テーブル１５を管理している。この電話番号テーブル１５には、当該センタ装置１０が管理している全ての非常通報装置１の電話番号とアドレスが対応付けられて登録されている。そして、この構成では、全ての非常通報装置１の電話番号は、通信前情報通知サービスの契約をしている。通信前情報通知サービスは、周知のようにリンガ信号が発せられたときに当該電話番号を発呼した装置の電話番号を通知してもらうサービスである。
【００３０】
定時通報を行う場合の動作を、図２に示すシーケンスチャートを参照して説明する。
【００３１】
定時通報を行う場合、非常通報装置１のＣＰＵ２は回線制御部３に対してセンタ装置１０への発呼命令を通知する（ステップＳ２１）。なお、ここでもセンタ装置１０の代表番号は予め回線制御部３に登録されているものとする。
【００３２】
これに応じて回線制御部３は、センタ装置１０を発呼する（ステップＳ２２）。これによって、最寄りの交換機（図１には図示せず）からリングバックトーン信号が発せられる。このリングバックトーン信号を受けると、非常通報装置１の回線制御部３は、このリングバックトーン信号の開始からの時間を計時を開始する。
【００３３】
このとき、センタ装置１０の回線制御部１１には、発呼した電話番号が通知されるので、回線制御部１１は、当該電話番号が電話番号テーブル１５に登録されているか否かを判断し、登録されていない場合には非常通報装置からの発呼ではないので、一旦呼接続して、即座に呼接続を解除する。これに対して、当該電話番号が電話番号テーブル１５に登録されているものである場合には、管理している非常通報装置からの発呼ではあるが、呼接続は行わず、リンガ信号の開始からの時間の計時を開始する。
【００３４】
そして、非常通報装置１の回線制御部３は、リングバックトーン信号があってから所定の識別時間Ｔ0 経ったとき、発呼を停止する（ステップＳ２３）。これに対して、センタ装置１０の回線制御部１１は、リンガ信号があってからＴ0 時間後に発呼が停止されたことを認識する。このことによって、センタ装置１０の回線制御部１１は、当該発呼が非常通報装置１からの定時通報であると認識して、当該非常通報装置１のアドレスと、定時通報があったことを示すデータをＣＰＵ１２に通知する（ステップＳ２４）。これを受けるとＣＰＵ１２は当該アドレスと定時通報があったことをモニタ１４に表示する。そして、この表示によって、センタ装置１０のオペレータは当該非常通報装置１から定時通報があったこと、従って当該非常通報装置１が正常に動作していること、及び電話回線Ｌが切断されていないことを知ることができる。
【００３５】
ここで、識別時間Ｔ0 は、図７のシーケンスチャートにおいて、ステップＳ３の呼接続からステップＳ１４の呼接続の解除までに要する時間より短い時間に設定すればよい。実際には数秒程度でよい。
【００３６】
以上のようであるので、定時通報の場合には、従来よりも短い時間で行うことができる。
【００３７】
以上が定時通報の場合の動作であるが、次に、定時通報以外の通報を行う場合の動作について図３に示すシーケンスチャートを参照して説明する。
【００３８】
定時通報以外の通報、即ち、異常通報や、警戒エリアが警戒状態に設定されたことを示す通報、あるいは警戒エリアが解除状態に設定されたことを示す通報等を行う場合、非常通報装置１のＣＰＵ２は回線制御部３に対してセンタ装置１０への発呼命令を通知する（ステップＳ３１）。
【００３９】
これに応じて回線制御部３は、センタ装置１０を発呼する（ステップＳ３２）。これによって、最寄りの交換機からリングバックトーン信号が発せられる。この後、非常通報装置１の回線制御部３は、センタ装置１０の回線制御部１１によって呼接続されるまで待機する。
【００４０】
このとき、センタ装置１０の回線制御部１１には、発呼した電話番号が通知されるので、回線制御部１１は、当該電話番号が電話番号テーブル１５に登録されているか否かを判断し、登録されていない場合には非常通報装置からの発呼ではないので、一旦呼接続して、即座に呼接続を解除するが、当該電話番号が電話番号テーブル１５に登録されているものである場合には、管理している非常通報装置からの発呼ではあるが、即座に呼接続は行わず、リンガ信号の開始からの時間の計時を開始する。
【００４１】
そして、センタ装置１０の回線制御部１１は、リンガ信号があってから識別時間Ｔ0 を越える時間リンガ信号が継続した場合には呼接続を行う（ステップＳ３３）。この後は、図７のステップＳ４のネゴシエーション以降の処理が行われ、当該通報のデータが非常通報装置１の回線制御部３から、センタ装置１０の回線制御部１１に送信される。このように、定時通報以外の通報の場合には、従来と同じシーケンスが行われるのである。
【００４２】
このように、リンガ信号の継続時間によって、定時通報と、定時通報以外の通報を区別するのは、定時通報は、基本的には、センタ装置１０で非常通報装置１からの発呼があったことが分かればよいからである。これに対して、定時通報以外の通報の場合には、センタ装置１０側に、どのような通報であるのか、その具体的な内容を知らせなければならず、そのためには従来と同様に非常通報装置１とセンタ装置１０との間で実際に通信を行わなければならない。そこで、この警備システムでは、リンガ信号の継続時間によって定時通報か、定時通報以外の通報かを区別するようにしているのである。
【００４３】
以上のようであるので、この警備システムによれば、センタ装置１０の回線制御部１１は、発呼があった際のリンガ信号の継続時間によって、定時通報か、定時通報以外の通報かを判断するので、定時通報は、従来よりも短い時間で行うことができ、また定時通報以外の通報は従来と同様に行うことができる。
【００４４】
以上、第１の実施形態について説明したが、次に、第２の実施形態について説明する。上述した第１の実施形態では、定時通報の場合には非常通報装置１から一方的に通報を行うだけであるので、非常通報装置１のＣＰＵ２は、定時通報がセンタ装置１０に正常に受信されたかどうか認識できない。そこで、この第２の実施形態では、センタ装置１０が定時通報を受けた場合に、非常通報装置１に正常に受信したことを示す肯定応答信号を返すようにする。
【００４５】
図４は、本発明に係る非常通報装置と、センタ装置とを用いた警備システムの第２の実施形態を示す図であり、図中、４は電話番号テーブルを示す。
【００４６】
図４において、センタ装置１０の構成は図１に示すものと同じである。非常通報装置１は、図６に示す構成に加えて、電話番号テーブル４を備えている。この電話番号テーブル４は回線制御部３が管理している。この電話番号テーブル４には、センタ装置１０の電話番号が登録されている。そして、この実施形態でも、センタ装置１０の電話番号は、通信前情報通知サービスの契約をしている。
【００４７】
さて、非常通報装置１から定時通報を行う場合の動作は第１の実施形態におけると同じであり、図２に示すシーケンスにより行う。また、定時通報以外の通報の場合の動作も第１の実施形態におけると同じである。
【００４８】
さて、センタ装置１０は、定時通報を受けると、その肯定応答信号を、定時通報を行った非常通報装置１に返す。そのときの動作を図５に示すシーケンスチャートを参照して説明する。
【００４９】
定時通報に対する肯定応答信号を返す場合、センタ装置１０のＣＰＵ１２は回線制御部１１に対して、肯定応答信号を返すべき非常通報装置１の電話番号を与えると共に、当該非常通報装置１への発呼命令を通知する（ステップＳ４１）。
【００５０】
これに応じて回線制御部１１は、非常通報装置１を発呼する（ステップＳ４２）。これによって、最寄りの交換機（図４には図示せず）からリングバックトーン信号が発せられる。このリングバックトーン信号を受けると、センタ装置１０の回線制御部１１は、このリングバックトーン信号の開始からの時間を計時を開始する。
【００５１】
このとき、非常通報装置１の回線制御部３には、発呼した電話番号が通知されるので、回線制御部３は、当該電話番号が電話番号テーブル４に登録されているか否かを判断し、登録されていない場合にはセンタ装置からの発呼ではないので、一旦呼接続して、即座に呼接続を解除する。これに対して、当該電話番号が電話番号テーブル４に登録されているものである場合には、センタ装置１０からの発呼ではあるが、呼接続は行わず、リンガ信号の開始からの時間の計時を開始する。
【００５２】
そして、センタ装置１０の回線制御部１１は、リングバックトーン信号があってから所定の第２識別時間Ｔ1 経ったとき、発呼を停止する（ステップＳ４３）。これに対して、非常通報装置１の回線制御部３は、リンガ信号があってからＴ1 時間後に発呼が停止されたことを認識する。このことによって、非常通報装置１の回線制御部３は、当該発呼がセンタ装置１０からの定時通報に対する肯定応答信号であると認識して、センタ装置１０から定時通報に対する肯定応答があったことを示すデータをＣＰＵ２に通知する（ステップＳ４４）。これによって、ＣＰＵ２は定時通報が正常にセンタ装置１０に受信されたことを認識する。
【００５３】
ここで、第２識別時間Ｔ0 は、上述した識別時間Ｔ0 と同じでもよく、異なっていてもよいが、図７のシーケンスチャートにおいて、ステップＳ３の呼接続からステップＳ１４の呼接続の解除までに要する時間より短い時間に設定すればよい。実際には数秒程度でよい。
【００５４】
以上のようであるので、定時通報に対する肯定応答も短時間で行うことができる。
【００５５】
以上、本発明の実施形態について説明したが、本発明は上記実施形態に限定されるものではなく、種々の変形が可能である。例えば、上述した実施形態では、電話番号テーブル１５は回線制御部１１が管理するものとしたが、ＣＰＵ１２が管理するようにしてもよい。その場合には、回線制御部１１は、発呼側の電話番号の通知を受けたらＣＰＵ１２に渡し、当該電話番号が非常通報装置のものであるか否かを判断するようにすればよい。電話番号テーブル４についても同様である。
【図面の簡単な説明】
【図１】  本発明に係る非常通報装置と、センタ装置とを用いた警備システムの第１の実施形態を示す図である。
【図２】  図１の構成において、定時通報を行う場合の動作を説明するためのシーケンスチャートである。
【図３】  図１の構成において、定時通報以外の通報を行う場合の動作を説明するためのシーケンスチャートである。
【図４】  本発明に係る非常通報装置と、センタ装置とを用いた警備システムの第２の実施形態を示す図である。
【図５】  図４に示す構成において、センタ装置１０から定時通報に対する肯定応答信号を非常通報装置に返す場合の動作を説明するためのシーケンスチャートである。
【図６】  従来の警備システムの構成例を示す図である。
【図７】  非常通報装置１からセンタ装置１０へ何等かの通報を行う場合の従来のシーケンスを説明するためのシーケンスチャートである。
【符号の説明】
１…非常通報装置、２…制御装置（ＣＰＵ）、３…回線制御部、４…電話番号テーブル、１０…センタ装置、１１…回線制御部、１２…制御装置（ＣＰＵ）、１３…入力装置、１４…モニタ、１５…電話番号テーブル、Ｌ…電話回線。
【図１】
0004140874.tif 000002
【図２】
0004140874.tif 000003
【図３】
0004140874.tif 000004
【図４】
0004140874.tif 000005
【図５】
0004140874.tif 000006
【図６】
0004140874.tif 000007
【図７】
0004140874.tif 000008